(57)【要約】      （修正有）【課題】少量の毛髪の切り落としに使えるミニ電動ハサミを提供する。【解決手段】固定刃１と揺動刃２を含み、固定刃の端部には１つの細長い開口によって形成された切断溝１２が設置され、開口の両側にはいずれも刃が設置され、揺動刃の端部は１つのストリップ状のブレード２１で、その両側のエッジはいずれも刃が設置され、揺動刃は溝に対して往復に揺れ動き、揺動刃の刃と固定刃の刃は切断面を形成して毛髪を切り落とす。ヘッド部６がコンパクトで、鼻孔や、耳孔中又は体のその他の狭い部位に入り易く、正確に位置決めることができ、切り落とそうとする少数の毛髪を扇形のガイド溝６１を利用して切断溝に入るようにする。揺動刃と固定刃との結合によって切断面を形成し、切断溝に入った毛髪を便利に切り落とすことができる。【選択図】図１
0003184294.tif 000002
【実用新案登録請求の範囲】
【請求項１】
固定刃と揺動刃を含み、前記固定刃の端部には１つの細長い開口によって形成された切断溝が設置され、前記開口の両側にはいずれも刃が設置され、前記揺動刃の端部は１つのストリップ状のブレードであり、その両側のエッジ部にはいずれも刃が設置され、前記揺動刃は前記溝に対して往復に揺動し、揺動刃の刃と固定刃の刃は切断面を形成して毛髪を切り落とす、ことを特徴とするミニ電動ハサミ。
【請求項２】
前記ミニ電動ハサミにおいて、前記電動ハサミはケーシングを更に含み、前記ケーシングは、ヘッド部、本体および前記ヘッド部と本体を繋ぐネック部からなり、前記ネック部の径方向寸法は前記ヘッド部の径方向寸法より小さく、前記本体内部には駆動装置が設置されている、ことを特徴とする請求項１に記載のミニ電動ハサミ。
【請求項３】
前記ミニ電動ハサミにおいて、前記揺動刃の他端は揺動フレームの１端に固定され、前記揺動フレームの他端は偏心軸に接続され、前記偏心軸は前記駆動装置に接続されている、ことを特徴とする請求項２に記載のミニ電動ハサミ。
【請求項４】
前記ミニ電動ハサミにおいて、前記ケーシングのヘッド部には前記固定刃の切断溝の形状サイズと同様な開口が設置され、当該開口と前記固定刃切断溝はマッチングするように設置し、当該開口の端部には毛髪が前記開口に入るようにする扇形のガイド溝が設置されている、ことを特徴とする請求項２に記載のミニ電動ハサミ。
【請求項５】
前記ミニ電動ハサミにおいて、前記固定刃の切断溝には前記扇形ガイド溝の形状サイズとマッチングする扇形開口が設置されている、ことを特徴とする請求項４に記載のミニ電動ハサミ。
【請求項６】
前記ミニ電動ハサミにおいて、前記固定刃は前記ケーシングの中に固定され、前記揺動フレームおよび揺動刃の弾性片は主軸を通じて固定され、前記揺動刃の弾性片は前記揺動刃部位に弾性圧力を加え、揺動刃を固定刃に押し付けている、ことを特徴とする請求項１〜５のいずれか一項に記載のミニ電動ハサミ。
【請求項７】
前記ミニ電動ハサミにおいて、前記ケーシングヘッド部の固定刃内蔵に使われる１つの側面は平面となっており、その他の側面は円弧面となっている、ことを特徴とする請求項６に記載のミニ電動ハサミ。
【請求項８】
前記ミニ電動ハサミにおいて、前記揺動刃のストリップ状のブレードは前記切断開口から突き出ない、ことを特徴とする請求項１〜５および７のいずれかに記載のミニ電動ハサミ。
【考案の詳細な説明】
【技術分野】
【０００１】
本考案はミニ電動ハサミに関する。
【背景技術】
【０００２】
現在、個人ケア製品として、いろいろなブレードやハサミなどがあり、それらは何れも切削面積が大きく、ブレードやハサミ自体の体積が大きいため、大量の毛髪の削りに使われているものの、皮膚表面の１，２本の毛髪に対しては、正確に捕らえることができなく、効果的に切り落とすことができない。
【考案の概要】
【考案が解決しようとする課題】
【０００３】
上記事情に鑑み、従来における問題を解決するために、少量の毛髪の切り落としに使える新型カッティングツールを提供する。
【課題を解決するための手段】
【０００４】
本考案の目的を実現するための下記のような技術手段を用いる。
本考案のミニ電動ハサミは、固定刃と揺動刃を含み、前記固定刃の端部には１つの細長い開口によって形成された切断溝が設置され、前記開口の両側にはいずれも刃が設置され、前記揺動刃の端部は１つのストリップ状のブレードで、その両側のエッジはいずれも刃が設置され、前記揺動刃は前記溝に対して往復に揺れ動き、揺動刃の刃と固定刃の刃は切断面を形成して毛髪を切り落とす。
【０００５】
前記揺動刃のストリップ状のブレードは前記切断溝から突き出されない。
【０００６】
前記電動ハサミは、ケーシングを更に含み、前記ケーシングはヘッド部、本体および前記ヘッド部と本体を繋ぐネック部からなり、前記ネック部の径方向寸法は前記ヘッド部の径方向寸法より小さく、前記本体内部には駆動装置が設置されている。
【０００７】
前記揺動刃の他端は揺動フレームの１端に固定され、前記揺動フレームの他端は偏心軸に接続され、前記偏心軸は前記駆動装置に連結されている。
【０００８】
前記ケーシングのヘッド部には前記固定刃の切断溝の形状サイズと同様な開口が設置され、当該開口と前記固定刃切断溝はマッチングするように設置され、当該開口の端部には毛髪が前記開口に入るようにする扇形のガイド溝が設置される。
【０００９】
前記固定刃の切断溝には前記扇形ガイド溝の形状サイズとマッチングする扇形開口が設置される。
【００１０】
前記固定刃は前記ケーシングの中に固定され、前記揺動フレームおよび揺動刃の弾性片は主軸を通じて固定され、前記揺動刃の弾性片は前記揺動刃部位に弾性圧力を加え、揺動刃を固定刃に押し付ける。
【００１１】
前記ケーシングヘッド部の固定刃の内蔵に使われる１つの側面は平面となっており、その他の側面は円弧面となっている。
【考案の効果】
【００１２】
従来技術に比べて、本考案はヘッド部がコンパクトで、鼻孔や、耳孔中又は体のその他の狭い部位に入れ易く、正確に位置決めることができ、切り落とされる少数の毛髪を前記扇形のガイド溝を利用して切断溝に入れるようにする。揺動刃と固定刃との組み合わせによって切断面を形成し、切断溝に入った毛髪を便利に切り落とすことができる。ケーシングのヘッド部はアーチ形の表面になっており、皮膚を傷つけないようになっている。
【図面の簡単な説明】
【００１３】
【図１】図１は本考案ヘッド部の分解図である。
【図２−３】図２〜図３は本考案のカッティング原理を示す図である。
【考案を実施するための形態】
【００１４】
図１〜図３に示すように、本考案のミニ電動ハサミは、固定刃１と揺動刃２を含み、前記固定刃１の端部には１つの細長い開口によって形成された切断溝１２が設置され、前記切断溝１２の両側にはいずれも刃が設置され、前記揺動刃２の端部は１つのストリップ状のブレード２１で、当該ブレード２１の両側のいずれのエッジ部にも刃が設置され、前記切断溝１２に対して往復に揺れ動き、揺動刃の刃と固定刃の刃は切断面を形成して毛髪を切り落とす。
【００１５】
前記電動ハサミは、ケーシングをさらに含み、前記ケーシングは、ヘッド部６、本体９および前記ヘッド部と本体を繋ぐネック部８からなり、前記ネック部８の径方向寸法は前記ヘッド部６の径方向寸法より小さく、前記ヘッド部が鼻孔又は耳孔に入れた時にケーシングを自由に回して、正確にカットできるようになっており、前記本体９内部には駆動装置が設置されている。前記揺動刃２の他端は揺動フレーム３の１端に固定され、前記揺動フレーム３の他端は偏心軸４に接続され、前記偏心軸４は前記駆動装置によって駆動されて回転し、揺動フレーム３を揺動させ、揺動フレーム３は再び揺動刃のブレード２１を駆動させ、固定刃１の切断溝１２に対して揺動する。
【００１６】
前記固定刃１は前記ケーシングの中に固定され、前記揺動フレーム３および揺動刃の弾性片５は主軸７を通じて固定され、前記揺動刃の弾性片５は前記揺動刃２のブレード２１に弾性圧力を加え、揺動刃のブレード２１を固定刃１に押し付ける。
【００１７】
前記揺動刃２のストリップ状のブレード２１は前記切断溝１２から突き出ておらず、このようなデザインは揺動刃のブレード２１の刃先が溝口から突き出て皮膚を傷つけないようにすることに目的がある。
【００１８】
前記ケーシングのヘッド部６には前記固定刃の切断溝１２の形状サイズと同様な開口６２が設置され、当該開口と前記固定刃切断溝１２はマッチングするように設置し、当該開口の端部には毛髪が前記開口に入るようにする扇形のガイド溝６１が設置される。
【００１９】
前記固定刃１の切断溝１２には前記扇形ガイド溝６１の形状サイズとマッチングする扇形開口１１が設置される。
【００２０】
前記ケーシングヘッド部６の固定刃１内蔵に使われる１つの側面は平面となっており、その他の側面は円弧面となっている。このようなデザインはミニ電動ハサミヘッド部部分の表面を滑らかにして、皮膚を傷つけず、適当な快適さを保証するだけでなく、隣接の切断溝の他の１面が皮膚にしっかりとくっついて、なるべく毛髪の根部を切るようにすることに目的がある。
【００２１】
事実上、前記固定刃の切断溝１２には前記扇形の開口を設置しなくても良く、つまり、固定刃１の端部を平らにすることもできる。ケーシングのヘッド部６には扇形のガイド溝６１が設置されているため、毛髪は当該扇形ガイド溝６１を通じて固定刃１の切断溝１２に入っても良い。
【００２２】
上記実施例は、本考案の幾つかの実施方式を示したものに過ぎず、本考案の保護範囲を制限するものではない。当業者が本考案の構想を離れない範囲内で作り出す幾つかの変形と改進型は、いずれも本考案の保護範囲に属する。そのため、本考案の保護範囲は、実用新案登録請求の範囲に準じるものとする。
【図１】
0003184294.tif 000003
【図２】
0003184294.tif 000004
【図３】
0003184294.tif 000005
【手続補正書】
【提出日】平成25年5月10日(2013.5.10)
【手続補正１】
【補正対象書類名】明細書
【補正対象項目名】００１３
【補正方法】変更
【補正の内容】
【００１３】
【図１】図１は本考案ヘッド部の分解図である。
【図２】図２は本考案のカッティング原理を示す図である。
【図３】図３は本考案のカッティング原理を示す図である。